(57)【要約】      （修正有）【課題】眠る人の頭部の重さを芯材が圧迫を受けた時、各通気溝間の芯材表面の通気層間の相互牽制作用を通じて、圧迫された通気溝の両側で発生した押潰れ変形量を最小限に抑え、通気溝箇所における熱気流通の空間を保たせることで、熱気が通気溝に沿って上方と外方に向かってスムーズに排出させることができ、つまり芯材が圧迫されて変形した時も、やはり良好な通気効果を維持できる通気クール枕を提供する。【解決手段】涼感吸湿吸汗層３２、及び、通気立体網層３１を結合して製造された枕カバー３が被せられる芯材１を含み、また該芯材表面の縦方向と横方向に間隔をもって交差に配列する複数の通気溝が各々設けられ、且つ、各通気溝内に貫通する複数の通気孔が列設され、同時に縦方向の通気溝が芯材の裏面まで連なって取り囲み、更に芯材の頂面の表面に引張力及び通気効果を持つ通気層２が貼着される。【選択図】図１
0003195012.tif 000002
【実用新案登録請求の範囲】
【請求項１】
就寝時に頭部を載せて支持するための枕の芯材で、前記芯材上の縦横方向に間隔をもって互いに交差する通気溝が列設され、各前記通気溝内に貫穿する通気孔が列設された全面機能の通気クール枕であって、前記芯材の表面に耐引張力、及び、通気効果を持つ通気層が貼着されることを特徴とする全面機能の通気クール枕。
【請求項２】
前記芯材上の各縦方向に設けられた通気溝が環状に設けられることを特徴とする請求項１に記載の全面機能の通気クール枕。
【請求項３】
前記芯材外側に涼感吸湿吸汗層、及び、通気立体網層を結合して製造された枕カバーが被せられることを特徴とする請求項１に記載の全面機能の通気クール枕。
【請求項４】
前記芯材の両側にある前記通気溝の対応する箇所に気流を前記通気溝内に強制的に充填できるファンを取り付けることを特徴とする請求項１に記載の全面機能の通気クール枕。
【請求項５】
その表面に間隔をもって気孔を設ける導気管が前記芯材の前記通気溝上に連なって周設され、前記導気管の両端に前記芯材の両側にある前記通気溝の対応する箇所に各々取り付けた前記ファンまでそれぞれ接続し、且つ、２つのファンは同時に気流を前記導気管内に充填し、または、導気管内の気流を吸引して排出することを特徴とする請求項１に記載の全面機能の通気クール枕。
【考案の詳細な説明】
【技術分野】
【０００１】
本考案は、縦横方向に同時に通気溝と通気孔が開設しあれた芯材で、且つ芯材の表面に通気層を貼着し、芯材が重さにより圧迫を受けた時、通気溝の潰れ変形程度を最小限に抑えることで、通気や排熱の効果もスムーズに維持させることができるものに関する。
【背景技術】
【０００２】
寝る時は、自分にとって寝やすくて、リラックスした姿勢が一番よい。良質な枕は、首の枕にかかる圧力を分散することで、本当にリラックスでき、睡眠の質が良くなる。現在市販されているラテックス或いはこれに類似する性質の材料で製造された枕の芯材は、高反発、超通気性を持ち、耐久性があり変形しにくい等といった利点を有し、同時にその外形設計も頚椎の支えを強化し、更に確実に頚椎曲線にフィットでき、首や肩の筋肉に不必要な緊張が掛からないため、体筋肉の緊張も緩まることで、効果的に睡眠の質を向上できる。
【０００３】
例えば従来のラテックス枕の芯材表面には通気孔が多数分布している以外に、また数列の通気溝を開設、若しくは該通気孔が通気溝上に設けられている。その目的は主に通気孔と通気溝を通じて、より一層通風や通気効果を強化し、長時間寝ていてもムレにくく爽やかな寝心地となる。
【０００４】
同時に使用時に芯材の汚れ防止のため、通常芯材外側に枕カバー、或いは芯材に汚れ防止カバーを被せてから枕カバーを被せていることで、当然汚れ防止カバーまたは枕カバー自体の通気効果が、いずれも優れていないため、上記芯材上に通気孔と通気溝を設置することで、その通気や通風効果の強化を図っていた。しかし利用者の頭部が枕に置かれた時、頭部の重さの圧迫により、圧迫された通気溝の両側が先に下に向かって沈み込むことで、本来熱気を誘導しなければならない空間が小さくなる、或いは更に詰まってしまうため、熱気がスムーズに外側へ排出されず、枕の通気効果も著しく減り、通気や排熱能力を発揮できなってしまう。
【考案の概要】
【考案が解決しようとする課題】
【０００５】
枕の芯材が圧迫された時、本来熱気を誘導する通気溝が著しく押しつぶされて変形が起きた後、熱気の流動と排出を阻害する問題を改善するため、本考案はその表面に縦横に交差する通気溝と通気孔を開設した芯材を提供し、且つ芯材の表面に耐引張力で且つ高い通気効果を持つ通気層を貼着し、圧迫された通気溝箇所の変形量を最小限に減らすことで、熱気の流通と排出を維持し、芯材の通気と排熱能力を最適な状態に保たせることができる。
【課題を解決するための手段】
【０００６】
従来技術の問題点を解決するため、本考案の技術的思想は、就寝時に頭部を載せて支持するための枕の芯材で、該芯材上に縦横に交差する通気溝が設けられ、各通気溝内に貫穿する通気孔が設けられ、同時に芯材の表面に耐引張力及び通気効果を持つ通気層が貼着されることである。
【０００７】
上記技術的思想において、該芯材上の各縦方向に設けられた通気溝が環状に設けられる。
【０００８】
上記技術的思想において、該芯材外側に涼感吸湿吸汗層及び通気立体網層を結合して製造された枕カバーが被せられる。
【０００９】
上記技術的思想において、該芯材の両側にある通気溝の対応する箇所に気流を通気溝内に強制的に充填できるファンを取り付ける。
【００１０】
上記技術的思想において、その表面に間隔をもって気孔を設ける導気管が該芯材の通気溝上に連なって周設され、また導気管の両端に芯材の両側にある通気溝の対応箇所に各々取り付けたファンまでそれぞれ接続し、且つ２つのファンは同時に気流を導気管内に充填し、または導気管内の気流を吸引して排出する。
【考案の効果】
【００１１】
本考案の芯材表面上にぴったりと貼着している上記通気層を通じて、各該通気溝の間において相互に牽制作用を形成し、いずれかの通気溝箇所が重さによる圧迫を受けた時、各箇所の通気層間における相互引張作用を通じて、通気溝の両側の押潰れ変形量を最小限に抑え、圧迫された通気溝箇所における熱気流通の空間を保たせることができ、同時に熱気も芯材の両側から排出させることで、好適な通気効果を得て、就寝時の快適性を増すことができる。
【図面の簡単な説明】
【００１２】
【図１】本考案の立体局部断面模式図である。
【図２】本考案の芯材立体模式図である。
【図３】本考案の側面断面図である。
【図４】本考案の芯材局部が圧迫を受けた後の作用模式図である。
【図５】本考案の芯材の通気実施例１を示す模式図である。
【図６】本考案の芯材の通気実施例１を示す断面模式図である。
【図７】本考案の芯材の通気実施例２を示す模式図である。
【考案を実施するための形態】
【００１３】
図１を参照すると、本考案の枕は、主に枕カバー３内に内設される芯材１を備え、且つ芯材１上の表面に引張力及び高い通気性を持つ通気層２生地が貼着している。該芯材１の詳細構造について図２を参照しながら説明する。図２に示すように、該芯材１の頂面及び裏面の横方向に間隔をもって両端が貫通する複数の通気溝１２が設けられており、また芯材１表面の縦方向に間隔をもって環状を呈する複数の通気溝１１が設けられ、縦方向と横方向の通気溝１１、１２が交差して設置され、同時に各通気溝１１、１２の交差箇所に貫通する通気孔１３が設けられているため、空気が各通気溝１１、１２と通気孔１３の間において相互に誘導流通させることができる。
【００１４】
次に、図３を参照すると、上記芯材１の表面１０（主にその頂面で、通気溝１１、１２の溝底を含まない）に貼設された通気層２は、一定の厚さを有する以外に、且つ空気を容易に通して通気溝１１、１２内に入らせることができる。同時に各通気溝１１、１２の間に介在する芯材１表面上の各局部通気層２の間は、同じ生地で、且つ全面的に芯材１上に貼着しているため、相互牽制作用を発揮できる。
【００１５】
また、図４を参照すると、利用者の頭部を枕に載せた時、仮に頭部の重さにより圧迫された箇所Ｗは、元々該箇所の通気溝１１、１２の両側が内方へ向かって押潰れるが、圧迫力が通気層２に作用した時、圧迫された箇所Ｗの通気層２の周囲が連なって延伸することで芯材１の各ゾーン箇所の表面１０が一緒に貼着（つまり、太実線箇所）するため、圧迫された箇所Ｗの通気層２が下方に向かって凹まろうとする時、周囲の通気層２を引張るがその周囲の通気層２は、芯材１表面にしっかりと貼着することで、引張牽制作用（逆方向の引張力Ｔ）が起きて、圧迫された箇所Ｗが元々押潰れるが牽制を受けて緩和し、該圧迫された箇所Ｗの通気溝１１、１２の発生する可能な変形量を最小限に抑制し、通気溝１１、１２内においてやはり空気流通に供することができる空間を保たせるため、枕に載せた頭から発生した熱気を、芯材１上の通気溝１１、１２と通気孔１３から両側に向かって排出させ、利用者の頭部の枕に接触した部位が、好適な通気効果を得ることで、寝る時の快適性を増すことができる。
【００１６】
次に、上記枕カバー３は、涼感吸湿吸汗層３２及び通気立体網層３１を結合して製造されたもので、良好な通気性を持つ以外に、更に利用者が夏に使用する時、より一層涼しく、爽やかで快適性がり、これに上記芯材１上の耐圧で変形しにくい通気溝１１、１２の高い通気性を加えて、蒸れ解消の効果が更に優れている。
【００１７】
これ以外に、図５と図６を参照すると、該芯材１の両側にある通気溝１１と通気孔１３の対応箇所内部に外部に通じるファン４が嵌設され、該両側のファン４により空気を充填させて気流が生じ、各交差するように設置された通気溝１１と通気溝１２内に入り、枕に頭を載せると、気流が各通気溝１１、１２から枕カバー３或いは涼感吸湿吸汗層３２と通気立体網層３１を通過して、頭部に吹き出すことで更に優れた放熱効果を奏することができる。
【００１８】
或いは図７に示すように、同様に該芯材１の両側にある通気溝１１と通気孔１３の対応箇所の内部に外部に通じるファン４が嵌設され、また芯材１の上方にある通気溝１１、１２内に導気管５を連なって周設され、且つ導気管５の頂面にそって間隔をもって数個の気孔５１を設け、同時に更に導気管５の両端を芯材１両側のファン４上に各々接続される。両側のファン４が同時に気流を導気管５内に強制的に充填された時、気流が導気管５表面の各気孔５１から吹き出すことで、利用者の頭部にそよそよと吹く放熱作用が生じる、或いは該２つのファン４が導気管５内の空気を強制的に吸引して排出し、導気管５内に負圧状態を形成されることで、導気管５表面の各気孔５１に吸気作用を生じて、利用者の頭部から発生する熱量を導気管５内に吸い込んで外部へ排出し、よって良好な放熱効果を奏することができる。
【符号の説明】
【００１９】
１    芯材
１０  表面
１１、１２  通気溝
１３  通気孔
２  通気層
３  枕カバー
【図１】
0003195012.tif 000003
【図２】
0003195012.tif 000004
【図３】
0003195012.tif 000005
【図４】
0003195012.tif 000006
【図５】
0003195012.tif 000007
【図６】
0003195012.tif 000008
【図７】
0003195012.tif 000009